(57)【要約】【課題】被包装物への装着が容易であり、かつ花三角袋内における被包装物の固定に手間がかからず、かつ通気性も良くする花三角袋用固定具の提供をその目的とするものである。【解決手段】被包装物への装着手段と花三角袋内に固定する手段を有する花三角袋用固定具であって、固定する手段として花三角袋内に引っ掛って被包装物を固定するための突出部を設けたことを特徴とする。また、突出部によって、被包装物への装着部分と花三角袋との間に隙間が設けられ、通気性も良いものとなる。【選択図】図１
2006021830.tif 000002
【特許請求の範囲】
【請求項１】
被包装物への装着手段と、多方向への突出部を有する花三角袋用固定具。
【請求項２】
被包装物を挿入する孔と、該孔を形成する周縁の外側に外向の突出部を有する花三角袋用固定具。
【請求項３】
リング体と、該リンク体の外縁辺に外向の突出部を有する花三角袋用固定具。
【請求項４】
少なくとも３つの外向の突出部と、該突出部のひとつから隣り合う他の該突出部へ達する弧状又は屈曲した縁辺と、該縁辺によって形作られる孔を有する花三角袋用固定具。
【請求項５】
突出部が尖形突起であることを特徴とする請求項１ないし４のいずれかに記載の花三角袋用固定具。
【請求項６】
外郭が星形であることを特徴とする請求項１ないし５のいずれかに記載の花三角袋用固定具。
【請求項７】
平板体であって、被包装物への装着手段と、該装着手段以外の孔を少なくともひとつ有する花三角袋用固定具。
【請求項８】
折り曲げ可能な短冊形の素材を、該素材の端が放射状の突出を形作るように、幅広面を互いに接合して一体に形成する花三角袋用固定具の作製方法。
【請求項９】
折り曲げ可能な帯状の素材を、山折りと谷折りとを繰り返して星形に成形する花三角袋用固定具の作製方法。
【発明の詳細な説明】
【技術分野】
【０００１】
本発明は、被包装物を花三角袋内に固定する、花三角袋用固定具に関するものである。
【背景技術】
【０００２】
花屋やスーパーの花コーナー等において、観賞用植物等を植え込んだ容器(鉢花)や切り花が、花三角袋を用いて包装（花三角袋へ挿入）された状態で、店頭に並べられたり、箱に入れられて展示販売されている。また鉢花や切り花を購入後、花三角袋を利用した包装を施してもらう場合もある。
鉢花や切り花の包装は、かつては新聞紙や透明紙等を用いて、覆うように巻きつける方法が多用されてきたが、最近では、花三角袋に挿入する方法が主流である。
【０００３】
この花三角袋は、一方の開放口が他方に比して広口の筒形状であり、その素材は、透明紙を用いたものが多い。
【０００４】
花三角袋を利用した包装は、切り花の場合、一本あるいは数本の切り花の下方の茎を輪ゴム、粘着テープ、紐等で束ねて花束としたものを、花三角袋の広口側から挿入し、見栄えの良い位置に花束を配し、さらに花三角袋の外側から粘着テープや紐等を用いて絞り込むように縛ったり、花三角袋の適宜位置をステープラで止めて袋の径を狭めるなどして、花三角袋内の切り花がずれたり抜け落ちたりしないように固定する方法が一般的である。
また、鉢花の場合は、鉢自体の径によって花三角袋から抜け落ちないようになっている。
【０００５】
ところが、この方法による包装では、切り花あるいは鉢花が花三角袋と密着した状態となり、通気性が良くなく、またその他の部分においても接触が多いために切り花や鉢に植えた植物等が腐敗しやすい。この通気不良はムレを生じさせ、接触による腐敗をさらに押し進め、商品価値の低下を早期に招いている。
また、花三角袋の内側に切り花や鉢花が密着・接触しているため、お客様が購入後に花三角袋から抜き出すとき、切り花や鉢に植えた植物を傷めてしまうことがある。
さらにこの包装方法では、花三角袋の下方部分を外側から絞る作業を要することや、出来上がりをきれいに見せるために花三角袋内の切り花や鉢の位置を、包装する都度整えなければならないなど、手間がかかる。
【０００６】
これらの問題点を克服する考案・発明として、花や葉を傷つけず、萎えさせることなく手軽に持ち運ぶことを目的とした収納器(特許文献１)が公知となっている。この考案は、花束収納器として有底の容器を用いるとともに、該容器の開口端部に、花束を該容器から離して起立状態を保つようにする弾性体からなる係止板を有し、さらに該容器の外周側面に着脱自在に取り付けられる保護筒とを備えてなるものである。
【０００７】
また、花を飾ることをその主たる目的とした花束用販売装飾具の考案(特許文献２)が公知となっており、当該公報に見られる図３において、切り花を挿すための孔（符号２２a）を有する蓋（符号２２）が記載されている。
【０００８】
また、生花を飾る場合において、輪ゴムなどの結束具を用いなくとも、花束の形が崩れにくく、美しい形を長持ちさせ得ることを目的とした花束結束補助具（特許文献３)が公知となっている。当該考案は、弾力性のある多孔質の樹脂素材からなる結束具本体と、外周に多数の溝と、外溝から中心に向かって多数の切込みを設けた花束結束補助具である。
【０００９】
さらには、結束具を用いなくとも花束の形が崩れにくく、美しい形を長持ちさせ、かつ花束の運搬中に茎に充分に水分を補給できると共に、包装容器をそのまま花器として利用できるようにした切花結束用補助具を備えた生花用包装容器(特許文献４)が公知となっている。当該考案は、前出特許文献３に掲載の考案を備えた包装容器である。
【００１０】
【特許文献１】実開平７−１７７８８号公報
【特許文献２】実開平７−２２８９号公報
【特許文献３】登録実用新案第３０６１８９１号公報
【特許文献４】登録実用新案第３０８９５２３号公報
【発明の開示】
【発明が解決しようとする課題】
【００１１】
本発明は、上記の現状に鑑み、被包装物への装着が容易で、花三角袋内の所定位置への固定に手間がいらず、かつ花三角袋内の通気性を良くする花三角袋用固定具の提供をその目的とするものである。
【課題を解決するための手段】
【００１２】
本願発明者は、前記課題を解決するために、花三角袋自体の改良よりも被包装物へ装着する器具のほうが花三角袋内で被包装物に手を加える必要がなく、また、この器具に被包装物を花三角袋内に固定するための手段を設ければ、包装の手間を簡略化できることに思い至り、創意・工夫・改良を重ねた結果、本発明を完成させるに至った。すなわち、本願において特許請求される、もしくは少なくとも開示される発明は次のとおりである。
なお、本願において、被包装物とは、花三角袋によって包装される物（花三角袋に挿入する物）を指し、例えば、鉢植えの植物（鉢花）や切り花がある。
（１）被包装物への装着手段と、多方向への突出部を有する花三角袋用固定具。
（２）被包装物を挿入する孔と、該孔を形成する周縁に外向の突出部を有する花三角袋用固定具。
（３）リング体と、該リング体の外縁辺に突出部を有する花三角袋用固定具。
（４）少なくとも３つの外向の突出部と、該突出部のひとつから隣り合う他の該突出部へ達する弧状又は屈曲した縁辺と、該縁辺によって形作られる孔を有する花三角袋用固定具。
（５）突出部が尖形突起であることを特徴とする（１）ないし（４）のいずれかに記載の花三角袋用固定具。
（６）外郭が星形であることを特徴とする（１）ないし（５）のいずれかに記載の花三角袋用固定具。
（７）平板体であって、被包装物への装着手段と、該装着手段以外の孔を少なくともひとつ有する花三角袋用固定具。
（８）折り曲げ可能な短冊形の素材を、該素材の端が放射状の突出を形作り、かつ中央に孔を形作るように、幅広面を互いに接合して一体に形成する花三角袋用固定具の作製方法。
（９）折り曲げ可能な帯状の素材を、山折りと谷折りとを繰り返して星形に成形する花三角袋用固定具の作成方法。
【発明の効果】
【００１３】
本発明に係る花三角袋用固定具によれば、被包装物への装着手段（例えば孔）と花三角袋内に被包装物を固定する手段としての突出部を有しているため、被包装物への装着が容易で、かつ花三角袋に挿入した後で花三角袋を外側からゴムや紐で結んだりステープラでとじて袋の径を絞り込む必要がなく、包装に時間を要せず作業効率が良い。
【００１４】
また、突出部を有してることにより、次のような効果がある。
（イ）突出部が被包装物と花三角袋の間に隙間を作ることから花三角袋内の通気性が良くなるとともに、花三角袋と被包装物との接触部分が少なくなるため、鉢植の植物（鉢花）や切り花の腐敗の発生および進行を抑えることとなり、今までより長い期間、商品価値を維持できる。尚、上記（７）の発明においては、平板体の設けた孔によって、同様の効果が得られる。
（ロ）、突出部に、鉢植の植物や切り花に関する情報等を記載したりあるいは情報等を記載したタグを取り付けたり、植物や切り花用の活力剤を入れた袋を取り付けるなどの多用途の利用も可能である。
（ハ）突出部の突出長さを変えることによって被包装物が花三角袋内に納まる位置を調整することが可能である。また、同一器具を用いれば、花三角袋内において同様の位置に収まることとなることから、作成者を特定せずに、見栄えの良い包装を、容易に行うことが可能である。作業効率の良さと作成者を特定しないことは、人件費の削減にも寄与するものである。
（ニ）突出部分の長さを長くすることで、大きめの花三角袋を利用可能とにる。大きめの花三角袋を使用すれば、花三角袋と被包装物との接触部分をさらに少なくすることができ、鉢花や切り花における腐敗の発生・進行をさらに遅らせることとなる。また、花三角袋の上方において、リボン等の装飾を施すことも可能となる。
【００１５】
また、本発明に係る花三角袋用固定具の作製方法によれば、その原材料や作製工程数が少ないため、材料費や人件費および作製時間等への影響が少なく、さらには自動化への展開も容易である。
【発明を実施するための最良の形態】
【００１６】
以下、本発明をさらに詳細に説明する。
本願発明に係る花三角用固定具に共通して言えることは、突出部の突出長さによって、花三角袋のどの位置に納めるかを調整できることである。また、本願発明に係る花三角袋用固定具と被包装物とを強固に密着させる手段を別途設けても良く、簡易な方法としては、装着用孔の縁に被包装物の形状に合わせたガイドを設けることが考えられる。
【００１７】
上記（１)の発明における装着手段としては、被包装物を挟込む方法や固定具が有する孔に挿入する方法等が考えられる。
特に切り花への装着において、切り花が複数本の場合は、輪ゴムや粘着テープ等により縛ることや、固定具が有する孔に挿入して挟み込むことによる結束手段を兼ねるものも考えられる。
突出部は、どのような形状であってもかまわないが、本発明に係る固定具を装着した被包装物を花三角袋に挿入することによって、花三角袋を内側から押し広げるように作用することが必要である。そのため、広口を上、狭口を下に位置した花三角袋内に挿入したときに、突出部の外郭を結んでできる多角形の面が、水平またはほぼ水平となるように、突出部を設けるのがよい。なお、突出部の数については、その形状にもよるため特に限定しないが、最も単純なものとしては、真逆の２方向への突出部を有するものが考えられる。
花三角袋は前述のように、一方の広口側から他方の口に向かって径が小さくなっているので、本発明に係る固定具を装着した被包装物を挿入すると、多方向に設けた突出部が花三角袋内側を押し広げて引っ掛かり、被包装物は所定位置に収まる。
当然ながら本発明においては、突出部の頂点を結んだ多角形は、花三角袋の狭口の径よりも大きい必要がある。
【００１８】
上記（２）の発明においては、孔に被包装物を挿入して装着する。装着後、花三角袋に挿入すると、外周縁に外向に設けた突出部が花三角袋内側を押し広げて引っ掛かり、被包装物は所定位置に収まる。本発明においても、突出部の外郭頂点を結んだ多角形は、花三角袋の狭口の径よりも大きい必要がある。
【００１９】
上記（３）の発明は、リング体の内側の孔を利用して被包装物に装着する。その後花三角袋へ挿入すると、外縁辺に設けた外向きの突出部が花三角袋を内側から押し広げて引っ掛かり、被包装物は所定位置に収まる。本発明においても、突出部の外郭頂点を結んだ多角形は、花三角袋の狭口の径よりも大きい必要がある。
また、リング体は、素材を限定はしないが、弾力性のある素材を用いれば、リング体の径を広げながら被包装物へ装着できるとともに、弾力によって被包装物に固着させることができる。被包装物が複数本の切り花である場合には、この弾力によって結束することにもなる。
また、リング体の環の一部に切れ目を設けると、被包装物への装着をさらに容易とすることができる。
【００２０】
上記（４）の発明において、突出部は３つ以上であればいくら設けてもよい。また、突出部は、その形状を限定しないが、前述（１）の詳細に述べたように、同一平面上において放射状に設けるのが望ましい。また、本発明においても、突出部の外郭頂点を結んだ多角形は、花三角袋の狭口の径よりも大きい必要がある。
縁辺によって形成される孔に被包装物を挿入して装着する。その後花三角袋へ挿入すると、外側へ向いた突出部が花三角袋を内側から押し広げて引っ掛かり、被包装物は所定位置に納まる。
【００２１】
上記（５）の発明における尖形突起としては、円錐形状、短冊形状、平体三角形状、針状、棒状等が考えられる。
【００２２】
上記（６）の発明は、上記（１）ないし（４）の発明における花三角袋用固定具において、その外郭形状を星型とするもので、星型形状の突出部分が花三角袋の内側を押し広げて引っ掛り、被包装物が所定位置に収まることとなる。
【００２３】
上記（７）の発明において、装着手段以外の孔は、通気のために設けてあり、その形状は限定しない。
平板体の形状が円形または楕円形である場合には、花三角袋も使用状態における水平断面形状が略円形であるため、被包装物の挿入状態によっては該板体と花三角袋の間に隙間ができないこともあり、その場合の通気孔として、孔を設けてある。また、平板体の面積は、花三角袋の狭口の大きさより大きい必要があることはいうまでもない。
平板体の形状が角を有する形状の場合は、花三角袋の使用時水平断面形状が略円形であるため、多くの場合には花三角袋との間に隙間ができるが、通気効率を上げるために平板体に孔を設けてある。また、平板体の面積は、花三角袋の狭口の大きさより大きいことが望ましい。平板体の最長巾が花三角袋を畳んだときの狭口側の巾より広い（長い）場合には、花三角袋内に引っ掛って落ちないこともあるが、そのようにして包装した場合は、外観が悪いものとなる。
装着手段を利用して被包装物に装着し、その後花三角袋に挿入すると、板体の外縁が、花三角袋内に引っ掛かり、被包装物は所定位置に収まる。
【００２４】
上記（８）の発明において、短冊形の素材の長手方向の長さを変えて突出の長さを調節することで、花三角袋内における被包装物の位置を変えることができる。
本発明によって作製される花三角袋用固定具の使用方法を説明する。
短冊形素材を互いに張り合わせて一体とした中央部分の間隙に被包装物を挿入し、必要に応じて該素材をさらにステープラ等でとじて挟み込み装着し、その後花三角袋に挿入すると、放射状の突出部分が花三角袋を内側から押し広げて引っ掛かり、被包装物が所定位置に収まる。
【００２５】
上記（９）の発明において、山折りと谷折りの間隔を変えて、突出部の突出長さを調節することで、花三角袋内における被包装物の位置を変えることができる。
本発明によって作製される花三角袋用固定具の使用方法を説明する。
折り曲げた素材が形作る内側の間隙に被包装物を挿入し、星型の突出部分を頂点として向き合う辺を接着して被包装物を挟み込むように装着する。被包装物が切り花であって、該切り花が複数本である場合には、この装着によって結束することが可能である。装着後、花三角袋に挿入すると、突出部分が径の小さくなっていく花三角袋の内側に引っ掛ることとなり、被包装物が所定位置に収まる。
【００２６】
以下、図面を参照して、本発明に係る花三角袋用固定具の実施例を説明する。また、本発明の範囲は、この実施例に限定されるものではないことは当然である。
【実施例１】
【００２７】
図１は、本発明にかかる花三角袋用固定具の実施例のひとつであり、切り花に装着して利用した時の図である。なお、図１では切り花の数を一本として図示しているが、複数本であってもその使用方法に変わりはない。
【００２８】
帯状の厚紙１を適宜間隔で山折谷折を繰り返し、図２のように突出部３を有する多角形を作る。この時、山折と谷折の間隔を調整することで、花三角袋内での切り花の納まる位置を調整することができる。
【００２９】
その後、閉じていない箇所から切り花１０の茎を挿入する。この切り花の挿入は、中央部に切り花の茎を差し込むようにしてもよい。
切り花を挿入したあと、突出している部分を頂点として向き合う辺をステープラでとじることで切り花の茎に装着する（図３参照）。切り花が複数本の場合は、この装着により結束されることとなる。
帯状の素材１の材質(例えばプラスチックや金属等)や切り花の本数によっては、切り花の挿入による撓みに対する素材自身の反力により、切り花を挟み込むことが可能である。またこのような場合にはステープラ等でとじ込む必要はない。
向き合う辺の接着には、接着財を用いる方法も考えられる。辺を押しつけ合うと、接着剤がにじみ出るような仕組みとすれば、なお使いやすいものとなる。
【００３０】
花三角袋２０の広口側から、切り花１０を挿入すると、突出部３が、径が小さくなっていく花三角袋２０の内側で花三角袋を押し広げて引っかかり収まる（図１参照）。
前述のように、突出部における出っ張りの長さによって、花三角袋のどの位置に引っ掛るかを調節できる。そのため、突出部の出っ張り長さの同じものを用いれば、切り花１０は花三角袋内の略同位置に収まることとなる。
【実施例２】
【００３１】
図４は、短冊状厚紙をもちいた実施例である。
短冊状の厚紙３を３枚用意し、長手方向両端を他の厚紙の同様の端と接着して、放射状の突出部３と中央に間隙５を有する形に形成する（図４参照）。
使用方法についていは、実施例１と同様であるため省略する。
【実施例３】
【００３２】
また別な実施例が図５である。
弾力性素材（例えば、ゴムやプラスチック）を用いて、中央に装着用孔４を有するリングと、該リングの外縁辺に多方向の突起３を配した形状に成形する。
中央にある装着用孔４に鉢１１を挿入して装着する。その後、花三角袋２０に挿入すると、突出部３が花三角袋内に引っかかり、鉢（鉢花）が所定位置に収まる（図６参照）。
リング状の部分に、切れ間８を設けても良い。この切れ間８があれば、素材の弾力を利用して孔４を広げることができ、被包装物に装着することが容易となる。
【実施例４】
【００３３】
図７は、別の実施例である。弾力性素材を用いて、中央に装着用孔４と、周辺に孔５を設けてある。
装着用孔４の径は、被包装物によって異なる。
中央の装着用孔４に被包装物を嵌合した後、花三角袋へ挿入して使用する。
【図面の簡単な説明】
【００３４】
【図１】本願発明に係る花三角袋用固定具を装着した切り花を、花三角袋に挿入した図である。
【図２】本願発明に係る花三角袋用固定具の実施例を示した図である。
【図３】花三角袋用固定具の装着方法を示した図である。
【図４】本願発明に係る花三角袋用固定具の別な実施例（実施例２）を示した図である。
【図５】本願発明に係る花三角袋用固定具のまた別な実施例（実施例３）を示した図である。
【図６】実施例３に係る花三角袋固定具を、鉢に取り付けて花三角袋に挿入した状態を示す図である。
【図７】本願発明に係る花三角袋用固定具の別な実施例（実施例４）を示した図である。
【符号の説明】
【００３５】
１    帯状厚紙
２    短冊形厚紙
３    突出部
４    装着用孔
５    孔
６    ステープラ針
７    花三角袋用固定具
８    切れ間
１０    切り花
１１    鉢
２０    花三角袋
【図１】
2006021830.tif 000003
【図２】
2006021830.tif 000004
【図３】
2006021830.tif 000005
【図４】
2006021830.tif 000006
【図５】
2006021830.tif 000007
【図６】
2006021830.tif 000008
【図７】
2006021830.tif 000009